(57)【要約】    【課題】良好な防水性能を有し、しかも換気機能も良好であるガラリ用縦羽板及びこれを用いたガラリの提供。    【解決手段】ガラリ用縦羽板５は、第一湾曲部５１、第二湾曲部５２、第三湾曲部５３、連結部５４、外見付け部５５、内見付け部５６、水返し部５９及び水返し部６０を備える。ガラリ用縦羽板５は、その幅方向に、第一湾曲部５１、第三湾曲部５３及び第二湾曲部５２が、第三湾曲部５３が突出した状態で並設されて構成されている。第一湾曲部５１と第三湾曲部５３とは連結部５４を介して連結されており、第三湾曲部５３の内側側端部に第二湾曲部５２が連結されている。【選択図】図５
2006283499.tif 000002
【特許請求の範囲】
【請求項１】
第一湾曲部、第二湾曲部、上記第一湾曲部と第二湾曲部とを連結する連結部及び保水溝を備えており、
その幅方向に、上記第一湾曲部と第二湾曲部とが、第二湾曲部が第一湾曲部より突出した状態で並設されており、
上記保水溝は、上記第一湾曲部の中央側端部と、第二湾曲部の中央側端部と、連結部とで形成されているガラリ用縦羽板。
【請求項２】
第一湾曲部、第二湾曲部、第三湾曲部、上記第一湾曲部と第三湾曲部とを連結する連結部及び保水溝を備えており、
その幅方向に、上記第一湾曲部、第三湾曲部及び第二湾曲部が、第三湾曲部が突出した状態で並設されており、
上記保水溝は、上記第一湾曲部の中央側端部と、第三湾曲部の中央側端部と、連結部とで形成されているガラリ用縦羽板。
【請求項３】
１又は２以上の湾曲部をさらに備える請求項２に記載のガラリ用縦羽板。
【請求項４】
その一端部又は両端部に保水溝を備える請求項１から３のいずれかに記載のガラリ用縦羽板。
【請求項５】
請求項１から４のいずれかに記載のガラリ用縦羽板を備えるガラリ。
【発明の詳細な説明】
【技術分野】
【０００１】
本発明は、建物の開口部に取り付けられるガラリ及びガラリに用いられるガラリ用縦羽板に関する。
【背景技術】
【０００２】
家屋、ビル、工場、倉庫、発電所、病院、体育館等の建物の開口部には、ガラリと呼ばれる建具が取り付けられている。このガラリは、枠内に、ガラリ用羽板が横方向又は縦方向に、複数枚、並設されて構成されている。このガラリによって、外気は建物内に取り込まれ、同時に雨水が建物内に侵入するのが防止される。
【０００３】
図１０は、ガラリ内に縦向きに配される、従来のガラリ用縦羽板１０が示された平面図である。このガラリ用縦羽板１０は、第一湾曲部１０１、第二湾曲部１０２、第三湾曲部１０３、外見付け部１０４、内見付け部１０５、ビス孔１０６、ビス孔１０７、水返し部１０８及び水返し部１０９を備える。第一湾曲部１０１は、ビス孔１０６を介して外見付け部１０４に連結されており、第一湾曲部１０１の中央側端部に、第二湾曲部１０２及び第三湾曲部１０３の中央側端部が連結されている。この第一湾曲部１０１と第三湾曲部１０３との連結部によって保水溝１１０が形成されている。第二湾曲部１０２の内側端部はビス孔１０７を介して内見付け部１０５に連結されており、この内見付け部１０５と水返し部１０９とによって、保水溝１１１が形成されている。
【発明の開示】
【発明が解決しようとする課題】
【０００４】
しかし、前述のガラリ用縦羽板１０においては、保水溝の数は２個であり、しかも略中央部に設けられている保水溝１１０は、Ｖ字形で奥行きが狭く、容量が小さいので、強い雨水が吹き付けられる場合、雨水が水返し部１０８からあふれ、屋内へ雨水が侵入するという問題がある。また、建物内に取り込まれる外気量も不十分である。
【０００５】
本発明の目的は、良好な防水性能を有し、しかも換気機能も良好であるガラリ用縦羽板及びこれを用いたガラリの提供にある。
【課題を解決するための手段】
【０００６】
本発明に係るガラリ用縦羽板は、
第一湾曲部、第二湾曲部、上記第一湾曲部と第二湾曲部とを連結する連結部及び保水溝を備えており、
その幅方向に、上記第一湾曲部と第二湾曲部とが、第二湾曲部が第一湾曲部より突出した状態で並設されており、
上記保水溝は、上記第一湾曲部の中央側端部と、第二湾曲部の中央側端部と、連結部とで形成されている。
【０００７】
本発明に係るガラリ用縦羽板は、
第一湾曲部、第二湾曲部、第三湾曲部、上記第一湾曲部と第三湾曲部とを連結する連結部及び保水溝を備えており、
その幅方向に、上記第一湾曲部、第三湾曲部及び第二湾曲部が、第三湾曲部が突出した状態で並設されており、
上記保水溝は、上記第一湾曲部の中央側端部と、第三湾曲部の中央側端部と、連結部とで形成されている。
【０００８】
好ましくは、１又は２以上の湾曲部をさらに備える。
【０００９】
好ましくは、その一端部又は両端部に保水溝を備える。
【００１０】
本発明のガラリは、上記ガラリ用縦羽板を備える。
【発明の効果】
【００１１】
本発明に係るガラリ用縦羽板によれば、複数の湾曲部を有するので、このガラリ用縦羽板内に入った外気は湾曲部により遠心力を付与され、抵抗なくスムースに流通される。また、湾曲部の中央側端部同士が連結部によって連結されており、この湾曲部の端部と連結部とによって保水溝が形成されるので、保水溝の容量を大きく採ることが出来る。従って、雨水が風によって湾曲面に沿わされるときに、雨水がこの湾曲面に付着したり、遠心力が働いて跳ね返り、保水溝で捕捉されるので、本発明のガラリ用縦羽板は良好な防水性能を有する。
【００１２】
本発明のガラリは、本発明のガラリ用縦羽板を備えるので、良好な防水性能を有し、しかも換気機能も良好である。
【発明を実施するための最良の形態】
【００１３】
以下、適宜図面が参照されつつ、好ましい実施形態に基づいて本発明が詳細に説明される。
【００１４】
図１は、本発明の一実施形態に係るガラリ１が示された正面図、図２はガラリ１の平面図、図３は図２のIII-III 線に沿った断面図である。ガラリ１は、上枠２、下枠３、一対の縦枠４及び複数枚のガラリ用縦羽板５を備える。上枠２、下枠３及び縦枠４はアルミニウム製であり、ガラリ用縦羽板５はアルミニウム製である。
【００１５】
図４は、ガラリ用縦羽板５が示された斜視図、図５は、ガラリ用縦羽板５が示された平面図である。ガラリ用縦羽板５は、第一湾曲部５１、第二湾曲部５２、第三湾曲部５３、連結部５４、外見付け部５５、内見付け部５６、ビス孔５７、ビス孔５８、水返し部５９及び水返し部６０を備える。ガラリ用縦羽板５は、その幅方向（図５の上下方向）に、第一湾曲部５１、第三湾曲部５３及び第二湾曲部５２が、第三湾曲部５３が幅方向中央部で突出した状態で並設されて構成されている。第一湾曲部５１と第三湾曲部５３とは連結部５４を介して連結されており、第三湾曲部５３の内側端部に第二湾曲部５２が連結されている。第一湾曲部５１の外側端部は、ビス孔５７を介して外見付け部５５に連結されており、第二湾曲部５２の内側端部は、ビス孔５８を介して内見付け部５６に連結されている。第三湾曲部５３の外側端部には、水返し部５９が設けられており、内見付け部５６の端部には水返し部６０が設けられている。
【００１６】
そして、第一湾曲部５１の中央側端部、第三湾曲部５３の中央側端部及び連結部５４によって保水溝６１が形成されており、連結部５４、第三湾曲部５３の他端側及び第二湾曲部５２の端部によって保水溝６２が形成されており、内見付部５６及び水返し部６０によって保水溝６３が形成されている。このガラリ用縦羽板５の開口率は４０％である。
【００１７】
このガラリ用縦羽板５は、ガラリ１の見込み方向（奥行きの方向）にガラリ用縦羽板５の幅方向を一致させた状態で、ガラリ１の見付け方向に複数枚、並設される。隣接するガラリ用縦羽板５は、一方のガラリ用縦羽板５の外見付け部５５と内見付け部５６との間に、他方のガラリ用縦羽板５の水返し部５９が入るように重なり合った状態で、配される。ガラリ用縦羽板５は、ビス孔５７及びビス孔５８を介して上枠２に取り付けられる。
【００１８】
ガラリ１は、その内側面を室内に向けた状態で、建物の開口部に取り付けられる。
【００１９】
図６は、本発明の他の実施形態に係るガラリ用縦羽板７が示された平面図である。このガラリ用縦羽板７は、第一湾曲部７１、第二湾曲部７２、連結部７３、外見付け部７４、内見付け部７５、ビス孔７６、ビス孔７７、水返し部７８及び水返し部７９を備える。第一湾曲部７１と第二湾曲部７２とは、第一湾曲部７１及び第二湾曲部７２の湾曲方向（図６の左右方向）にずれた状態でガラリ用縦羽板７の幅方向（図６の上下方向）に並設されている。第一湾曲部７１の中央側端部と第二湾曲部７２の中央部とが連結部７３を介して連結されている。第一湾曲部７１の外側端部はビス孔７６を介して外見付け部７４に連結されている。第二湾曲部７２の外側端部には水返し部７８が設けられており、第二湾曲部７２の内側端部はビス孔７７を介して内見付け部７５に連結されている。内見付け部７５の端部には水返し部７９が設けられている。そして、第一湾曲部７１の中央側端部、連結部７３及び第二湾曲部７２の中央側端部によって保水溝７９が形成されており、内見付部７５及び水返し部７９によって保水溝８０が形成されている。
【００２０】
図７は、本発明のさらに他のガラリ用縦羽板８が示された平面図である。ガラリ用縦羽板８は、第一湾曲部８１、第二湾曲部８２、第三湾曲部８３、連結部８４、第四湾曲部８５、第五湾曲部８６、連結部８７、連結部８８、外見付け部８９、内見付け部９０、ビス孔９１、ビス孔９２、水返し部９３、水返し部９４及び水返し部９５を備える。ガラリ用縦羽板８は、その幅方向（図７の上下方向）に、第一湾曲部８１、第三湾曲部８３及び第二湾曲部８２が、第三湾曲部８３が突出した状態で並設されている。第一湾曲部８１の中央側端部と第三湾曲部８３の中央部とが連結部８４を介して連結されている。第三湾曲部８３の外側端部には水返し部９３が設けられており、第三湾曲部８３の内側端部には第二湾曲部８２が連結されている。第一湾曲部８１の外側端部には連結部８７を介して第四湾曲部８５が連結されており、第四湾曲部８５の外側端部は、ビス孔９１を介して外見付け部８９に連結されている。第二湾曲部８２の内側端部にはビス孔９２を介して第五湾曲部８６が連結されており、第五湾曲部８６の内側端部は連結部８８を介して内見付け部９０に連結されている。第三湾曲部８３の外側端部、ビス孔９２及び内見付け部９０の端部には、それぞれ水返し部９３、水返し部９４及び水返し部９５が設けられている。
【００２１】
外見付部８９、第四湾曲部８５及び連結部８７によって保水溝９６が形成されており、第一湾曲部８１の中央側端部、連結部８４及び水返し部９３によって保水溝９７が形成されており、連結部８４、第三湾曲部８３及び第二湾曲部８２の中央側端部によって保水溝９８が形成されている。さらに、第二湾曲部８２の内側端部及び水返し部９４によって保水溝９９が形成されており、連結部８８、内見付け部９０及び水返し部９５によって保水溝１００が形成されている。このガラリ用縦羽板８の開口率は５０％である。
【００２２】
図８は、図５のガラリ用縦羽板５における外気及び雨水の流れが示された模式図である。この図８における外気及び雨水の流れは、「有限体積法  汎用熱流体解析ソフトウエア  ＦＬＵＥＮＴ」により求められたデータに基づく。図８において、このガラリ用縦羽板５内に入った外気は第一湾曲部５１により遠心力を付与されて回り込み、第三湾曲部５３によって、遠心力を付与され、第二湾曲部５２によっても遠心力を付与されて、抵抗なくスムースに建物内に流通される。そして、雨水は、風によって湾曲面に沿わされるときに、３つの湾曲部に付着したり、容量が大きい３つの保水溝６１、保水溝６２及び保水溝６３で捕捉される。
【００２３】
図９は、図１０の従来のガラリ用縦羽板１０における外気及び雨水の流れが示された模式図である。この図９における外気及び雨水の流れは、「有限体積法  汎用熱流体解析ソフトウエア  ＦＬＵＥＮＴ」により求められたデータに基づく。このガラリ用縦羽板１０においては、外気は第三湾曲部１０３に向かうが、この第三湾曲部１０３は曲率が小さいので遠心力が働かず、建物内に向かって回り込む外気量は少ない。また、保水溝１１０がＶ字形で奥行きが狭く、容量が小さいので、雨水が水返し部１０８からあふれ、建物内へ侵入する雨水の量が多くなる。
【００２４】
図５のガラリ用縦羽板５、図７のガラリ用縦羽板８、従来のガラリ用縦羽板であるＡ社ａ品及びＡ社ｂ品それぞれにつき防水性試験を行った。その結果が表１、表２及び表３に示される。Ａ社ａ品及びＡ社ｂ品の開口率はそれぞれ、３３％、５０％である。
【００２５】
【表１】
2006283499.tif 000003
【００２６】
【表２】
2006283499.tif 000004
【００２７】
【表３】
2006283499.tif 000005
【００２８】
表１より、本発明に係るガラリ用縦羽板５及びガラリ用縦羽板８は、Ａ社ａ品及びＡ社ｂ品より漏水が大きく改善されており、防水性が向上していることが分かる。
【００２９】
また、表２及び表３より、本発明に係るガラリ用縦羽板５及びガラリ用縦羽板８は、Ａ社ａ品及びＡ社ｂ品と比較して、通気量Ｑが同一である場合、圧力差ΔＰが小さいこと、流量係数αが大きくなっており、空気抵抗が少ないこと、圧力損失係数ζが小さいこと、通気率ａが高いこと、及び相当開口面積αＡが高いことが分かる。従って、本発明に係るガラリ用縦羽板は良好な防水性能を有し、しかも換気機能も良好であることが分かる。そして、このガラリ用縦羽板を備えるガラリは、良好な防水性能を有し、換気機能が良好である。
【産業上の利用可能性】
【００３０】
本発明に係るガラリ用縦羽板及びガラリは家屋、ビル、工場、倉庫、発電所、病院、体育館等の建物に適用され得る。
【図面の簡単な説明】
【００３１】
【図１】図１は、本発明の一実施形態に係るガラリが示された正面図である。
【図２】図２は、図１のガラリの平面図である。
【図３】図３は、図２のIII-III 線に沿った断面図である。
【図４】図４は、本発明の一実施形態に係るガラリ用縦羽板が示された斜視図である。
【図５】図５は、図４のガラリ用縦羽板が示された平面図である。
【図６】図６は、本発明の他の実施形態に係るガラリ用縦羽板が示された平面図である。
【図７】図７は、本発明のさらに他の実施形態に係るガラリ用縦羽板が示された平面図である。
【図８】図８は、図５のガラリ用縦羽板における外気及び雨水の流れが示された模式図である。
【図９】図９は、図１０の従来のガラリ用縦羽板における外気及び雨水の流れが示された模式図である。
【図１０】図１０は、従来のガラリ用縦羽板が示された平面図である。
【符号の説明】
【００３２】
１・・・ガラリ
２・・・上枠
３・・・下枠
４・・・縦枠
５・・・ガラリ用縦羽板
５１・・・第一湾曲部
５２・・・第二湾曲部
５３・・・第三湾曲部
５４・・・連結部
５５・・・外見付け部
５６・・・内見付け部
５９・・・水返し部
６０・・・水返し部
６１・・・保水溝
６２・・・保水溝
６３・・・保水溝
７・・・ガラリ用縦羽板
８・・・ガラリ用縦羽板
１０・・・ガラリ用縦羽板
【図１】
2006283499.tif 000006
【図２】
2006283499.tif 000007
【図３】
2006283499.tif 000008
【図４】
2006283499.tif 000009
【図５】
2006283499.tif 000010
【図６】
2006283499.tif 000011
【図７】
2006283499.tif 000012
【図８】
2006283499.tif 000013
【図９】
2006283499.tif 000014
【図１０】
2006283499.tif 000015